(57)【要約】【課題】照明装置をソケットに装着後に照明部分の姿勢を調整できる照明装置を提供する。【解決手段】照明用の光源を有している照明本体部１と、ソケットに装着可能な口金部２とを有する照明装置において、前記照明本体部１の照射面３ａと反対の背面側に設けられ球状外面８を備えた球状体５と、前記口金部２側に設けられて前記球状体５を収容する収容部１０とを有し、前記球状体５が前記収容部１０に収容されてボールジョイントが構成され、前記球状体５の外面から突出する突起９が前記収容部１０に形成されている突起挿入孔１７に挿入されている。前記球状体を口金部側に設け、前記球状体を収容する収容部を照明本体部側に設けるようにしてもよい。【選択図】図１
2012230773.tif 000002
【特許請求の範囲】
【請求項１】
照明用の光源を有している照明本体部と、ソケットに装着可能な口金部とを有する照明装置において、前記照明本体部の照射面と反対の背面側に設けられ球状外面を備えた球状体と、前記口金部側に設けられて前記球状体を収容する収容部とを有し、前記球状体が前記収容部に収容されてボールジョイントが構成され、前記球状体の外面から突出する突起が前記収容部に形成されている突起挿入孔に挿入されていることを特徴とする照明装置。
【請求項２】
照明用の光源を有している照明本体部と、ソケットに装着可能な口金部とを有する照明装置において、前記口金部側に設けられて球状外面を備えた球状体と、前記照明本体部の照射面と反対の背面側に設けられ前記球状体を収容する収容部とを有し、前記球状体が前記収容部に収容されてボールジョイントが構成され、前記球状体の外面から突出する突起が前記収容部に形成されている突起挿入孔に挿入されていることを特徴とする照明装置。
【請求項３】
前記突起挿入孔が長孔に形成されていることを特徴とする請求項１又は２記載の照明装置。
【発明の詳細な説明】
【技術分野】
【０００１】
本発明は、ソケットに装着可能でソケットに装着後に照明部分の姿勢を調整できる照明装置に関し、例えば照明用の光源としてＬＥＤ光源が使用されているＬＥＤ照明装置に適用される。
【背景技術】
【０００２】
照明用の光源としてＬＥＤを用いたＬＥＤ照明装置は消費電力が少ないため、現在普及しつつある。このＬＥＤ照明装置は既存のソケットに差し込んで使用できることが好ましい。この場合、ＬＥＤ照明は照明光の照射方向に指向性を有しているので、ＬＥＤ照明装置をソケットに装着した後、照明光の照射方向の調整をできることが望まれる。このＬＥＤ照明の姿勢を調整できる照明装置が特許文献１に示されている。
【先行技術文献】
【特許文献】
【０００３】
【特許文献１】特開２００８−２２１８７４号公報
【発明の概要】
【発明が解決しようとする課題】
【０００４】
特許文献１では、ボールジョイントを使用してＬＥＤ光源の照射方向を調整できるようにしている。しかしながら、特許文献１の照明装置はソケットに口金部を装着するタイプの照明装置ではない。
【０００５】
本発明の目的は、照明装置をソケットに装着後に照明部分の姿勢を調整できる照明装置を提供することである。
【課題を解決するための手段】
【０００６】
本発明は、照明用の光源を有している照明本体部と、ソケットに装着可能な口金部とを有する照明装置において、前記照明本体部の照射面と反対の背面側に設けられ球状外面を備えた球状体と、前記口金部側に設けられて前記球状体を収容する収容部とを有し、前記球状体が前記収容部に収容されてボールジョイントが構成され、前記球状体の外面から突出する突起が前記収容部に形成されている突起挿入孔に挿入されていることを特徴とする。
【０００７】
本発明は、前記球状体を口金部側に設け、前記球状体を収容する収容部を照明本体部側に設けるようにしてもよい。すなわち、本発明は、照明用の光源を有している照明本体部と、ソケットに装着可能な口金部とを有する照明装置において、前記口金部側に設けられて球状外面を備えた球状体と、前記照明本体部の照射面と反対の背面側に設けられ前記球状体を収容する収容部とを有し、前記球状体が前記収容部に収容されてボールジョイントが構成され、前記球状体の外面から突出する突起が前記収容部に形成されている突起挿入孔に挿入されていることを特徴とする。
【０００８】
前記突起挿入孔が長孔に形成されていることが好ましい。
【発明の効果】
【０００９】
本発明によれば、照明装置をソケットに装着後に照明部分の姿勢を調整できる。
【図面の簡単な説明】
【００１０】
【図１】本発明の一実施形態である照明装置を示す斜視図である。
【図２】照明装置の分解斜視図である。
【図３】本発明の別の実施形態である照明装置を示す斜視図である。
【発明を実施するための形態】
【００１１】
以下、本発明の一実施形態を図１及び図２を参照しながら説明する。
【００１２】
照明装置は照明本体部１と、ソケットに装着可能な口金部２とを有している。照明本体部１は照明用のＬＥＤ光源が収容されている正方形形状の照明部３と、照明部３の照射面３ａと反対の背面から垂直に突出している中空の真っ直ぐなロッド部４と、ロッド部４の後端に設けられている球状体５とを備えている。
【００１３】
球状体５は球体を一対の平行な平面で裁断した形状を有している。すなわち、球状体５は一対の平行な環状平面６，７を有する中空の球状体で、球状外面８に外方に突出する突起９が設けられている。一対の平行な環状平面６，７と突起９は、照明部３の照射面３ａと平行に配置している。
【００１４】
口金部２は一般の電球が装着される既存のソケットに螺着可能な螺旋部２ａを外周面に有し、一端に接点部２ｂを有している。口金部２の接点部２ｂと反対側の端部には照明本体部１の球状体５を収容する収容部１０が固定されている。
【００１５】
収容部１０は球状体１１と、その両側に張り出している一対の張出部１２と、球状体１１の一方の環状平面から突出する円筒部１３とから構成されている。球状体１１は球体を一対の平行な平面で裁断した形状を有している。すなわち、球状体１１は、一対の平行な環状平面１４，１５を有する中空の球状体で、前記照明本体部１の球状体５の球状外面８を収容する球状内面を有しており、球状部分の壁部に突起挿入孔１７が形成されている。突起挿入孔１７は照明部３の照射面３ａと平行に細長に延びる長孔で、その両端は円弧状に形成されている。
【００１６】
上記の収容部１０は図２に示されているように、収容部１０を二分した一対の半割り部材１０Ａ，１０Ｂから形成されている。ただし、円筒部１３は一方の半割り部材１０Ａに設けられている。照明本体部１の球状体５の球状外面８を収容する球状内面は一対の半割り部材１０Ａ，１０Ｂの球状内面１６Ａ，１６Ｂで形成される。したがって、収容部１０は一対の半割り部材１０Ａ，１０Ｂが照明本体部１の球状体５を覆うように配置され、一対の張出部１２に形成されている締結具挿入孔１８に装着された締結具１９で締結されて構成される。なお、この際、照明本体部１の球状体５の突起９が収容部１０の球状体１１の突起挿入孔１７に挿入配置される。
【００１７】
このようにして、照明本体部１の球状体５は口金部２に固定されている収容部１０の球状体１１に収容され、照明本体部１の球状体５とそれを収容した収容部１０の球状体１１とでボールジョイントが構成される。
【００１８】
口金部２は収容部１０の円筒部１３の外面に挿入され、円筒部１３に固定される。
【００１９】
照明部３内のＬＥＤ光源は照明本体部１や口金部２に配置される回路基板及びリード線により口金部２に電気的に接続されており、ＬＥＤ光源に電力が供給されるように構成されている。
【００２０】
以下、本発明の照明装置を室内の天井部に設けられているソケットに装着する場合を説明する。
【００２１】
照明装置の口金部２をソケットに差し込み、照明本体部１を回転して口金部２をソケットに装着する。この際、照明本体部１を回転したとき、照明本体部１の球状体５の突起９が口金部２に固定されている収容部１０の球状体１１の突起挿入孔１７の端縁に係合するので、照明本体部１の回転と一緒に口金部２が回転される。これにより、口金部２がソケットに装着できる。
【００２２】
照明装置がソケットに装着された後、照明本体部１の姿勢を調整することによって照明部３の照射面３ａの姿勢を調整できる。すなわち、照明本体部１の球状体５と、それを収容した収容部１０の球状体１１とでボールジョイントを構成しているので、照明本体部１の角度（傾き）を調整して照明部３の照射面３ａを例えば水平姿勢にすることができる。また、照明本体部１の球状体５の突起９が挿入する突起挿入孔１７が長孔に形成されているので、照明本体部１を水平面内で回転させて、例えば照明部３の各辺を室内の壁面と平行になるように調整することができる。
【００２３】
なお、上記実施形態では、照明本体部１側に球状体５を設け、球状体５を収容してボールジョイントを構成する収容部１０を口金部２側に設けたが、逆の構成とすることもできる。すなわち、球状体を口金部側に設け、前記球状体を収容してボールジョイントを構成する収容部を照明本体部側に設けるように構成してもよい。照明用の光源を有している照明本体部と、ソケットに装着可能な口金部とを有する照明装置であって、前記口金部に固定され球状外面を備えた球状体と、前記照明本体部の照射面と反対の背面側に設けられ前記球状体を収容する収容部とを有し、前記球状体が前記収容部に収容されてボールジョイントが構成され、前記球状体の外面から突出する突起が前記収容部に形成されている突起挿入孔に挿入されている。
【００２４】
以下、上記のように構成した本発明の照明装置を室内の天井部に設けられているソケットに装着する場合を説明する。
【００２５】
照明装置の口金部をソケットに差し込み、照明本体部を回転して口金部をソケットに装着する。この際、照明本体部を回転したとき、照明本体部側の収容部に形成されている突起挿入孔の端縁が、口金部側の球状体の外面から突出している突起に係合するので、照明本体部の回転と一緒に口金部が回転される。これにより、口金部がソケットに装着できる。
【００２６】
照明装置がソケットに装着された後、照明本体部の姿勢を調整することによって照明部の照射面の姿勢を調整できる。すなわち、口金部側の球状体と、それを収容した照明本体部側の収容部とでボールジョイントを構成しているので、照明本体部の角度（傾き）を調整して照明部の照射面を例えば水平姿勢にすることができる。また、上記実施形態と同様に、口金部側の球状体の突起が挿入する突起挿入孔を長孔とすれば、照明本体部を水平面内で回転させて、例えば正方形形状に形成されている照明部の各辺を室内の壁面と平行になるように調整することができる。
【００２７】
なお、前記で述べた球状体は上記実施形態で示したように完全な球体でなくてもよく、球状外面を有していればよい。勿論、完全な球体でもよい。また、収容部は球状体を収容し、ボールジョイントを構成する内面を有していればよい。
【００２８】
図３は本発明の別の実施形態を示している。本実施形態は図１及び図２に示す実施形態とは、照明部３の形状と、収容部１０の球状体１１に形成する突起挿入孔１７の形状が相違している。
【００２９】
本実施形態では、照明部３は円形形状を有しており、突起挿入孔１７は円形孔に形成されている。他の構成は図１及び図２により説明した上記実施形態と同じである。
【００３０】
本実施形態の照明装置をソケットに装着する場合も図１及び図２により説明した上記実施形態と同じである。ただし、本実施形態においては、照明部３が円形形状であるので、照明本体部１を水平面内で回転してその向きを調整する必要はない。
【符号の説明】
【００３１】
１・・照明本体部、２・・口金部、２ａ・・螺旋部、２ｂ・・接点部、３・・照明部、３ａ・・照射面、４・・ロッド部、５・・球状体、６，７・・環状平面、８・・球状外面、９・・突起、１０・・収容部、１０Ａ，１０Ｂ・・半割り部材、１１・・球状体、１２・・張出部、１３・・円筒部、１４，１５・・環状平面、１６Ａ，１６Ｂ・・球状内面、１７・・突起挿入孔、１８・・締結具挿入孔、１９・・締結具。
【図１】
2012230773.tif 000003
【図２】
2012230773.tif 000004
【図３】
2012230773.tif 000005